【手続補正書】
【提出日】平成28年1月13日(2016.1.13)
【手続補正１】
【補正対象書類名】特許請求の範囲
【補正対象項目名】全文
【補正方法】変更
【補正の内容】
【特許請求の範囲】
【請求項１】
ガスを流入口から流出口に移動させ、また流入口と流出口との間に差圧を生じさせるコンプレッサ（５０）であり、
回転シャフト（６０）と、
前記回転シャフト（６０）にほぼ直交する少なくとも１つの第１ピストンロッド（７５）であり該第１ピストンロッド（７５）の両側の端部に第１ピストン対（５５Ａ、５５Ｂ）を連結し、前記第１ピストンロッド（７５）は前記回転シャフト（６０）に対して往復移動し、これにより前記第１ピストン対（５５Ａ、５５Ｂ）が交互に前記回転シャフト（６０）に対して接近及び離間し、該第１ピストン対（５５Ａ、５５Ｂ）は同軸上で往復移動するようにした、第１ピストンロッド（７５）と、
前記回転シャフト（６０）に対して直交する溝付き端部プレート（７２）であって、前記回転シャフト（６０）に対して中心が外れている溝（５８）を画定する該溝付き端部プレート（７２）と、
前記第１ピストンロッド（７５）から延びて前記溝（５８）に入り込む少なくとも１つの第１の軸受（６５）と、を備え、
前記回転シャフト（６０）の回転運動が前記第１ピストンロッド（７５）又は前記溝付き端部プレート（７２）のいずれか一方を回転させた際に、前記軸受（６５）が前記溝（５８）を移動し、また、
前記溝（５８）内における前記軸受（６５）の各位置が、前記第１ピストンロッド（７５）の前記回転シャフト（６０）に対する対応位置を決定する、
コンプレッサ（５０）。
【請求項２】
請求項１記載のコンプレッサ（５０）において、前記回転運動が前記第１ピストンロッド（７５）を前記溝付き端部プレート（７２）に平行な経路に沿って回転させ、前記第１ピストンロッド（７５）の前記回転シャフト（６０）の周りでの往復摺動に伴って、対応する前記ピストン（５５Ａ、５５Ｂ）が対応のピストンチャンバ（５４Ａ、５４Ｂ）内で前進及び後退する、コンプレッサ（５０）。
【請求項３】
請求項１記載のコンプレッサ（５０）において、前記回転シャフト（６０）が前記回転シャフト（６０）に直交する平面内で前記第１ピストンロッド（７５）を回転させ、また前記第１ピストンロッド（７５）の回転に伴って、前記軸受（６５）が前記溝（５８）を移動し、前記軸受（６５）の前記溝（５８）における位置の変化に伴って、前記第１ピストンロッド（７５）は、前記第１ピストンロッド（７５）における開口（７８）内の前記回転シャフト（６０）の周りで摺動する、コンプレッサ（５０）。
【請求項４】
請求項１記載のコンプレッサ（５０）において、前記第１ピストンロッド（７５）は、前記回転シャフト（６０）が貫通する開口（７８）を画定する、コンプレッサ（５０）。
【請求項５】
請求項４記載のコンプレッサ（５０）において、前記回転シャフト（６０）を前記溝付き端部プレート（７２）に連結し、前記溝付き端部プレート（７２）に回転運動を与える、コンプレッサ（５０）。
【請求項６】
請求項４記載のコンプレッサ（５０）において、前記回転シャフト（６０）が前記第１ピストンロッド（７５）に回転運動を与える、コンプレッサ（５０）。
【請求項７】
ガスを流入口から流出口に移動させ、また流入口と流出口との間に差圧を生じさせるコンプレッサ（５０）であり、
回転シャフト（６０）と、
前記回転シャフト（６０）にほぼ直交する少なくとも１つの第１ピストンロッド（７５）であり該第１ピストンロッド（７５）の両側の端部に第１ピストン対（５５Ａ、５５Ｂ）を連結し、前記第１ピストンロッド（７５）は前記回転シャフト（６０）に対して往復移動し、これにより前記第１ピストン対（５５Ａ、５５Ｂ）が交互に前記回転シャフト（６０）に対して接近及び離間し、該第１ピストン対（５５Ａ、５５Ｂ）は同軸上で往復移動するようにした、第１ピストンロッド（７５）と、
前記回転シャフト（６０）に対して直交する溝付き端部プレート（７２）であって、前記回転シャフト（６０）に対して中心が外れている溝（５８）を画定する該溝付き端部プレート（７２）と、
前記第１ピストンロッド（７５）から延びて前記溝（５８）に入り込む少なくとも１つの第１の軸受（６５）と、を備え、
前記回転シャフト（６０）の回転運動が前記第１ピストンロッド（７５）又は前記溝付き端部プレート（７２）のいずれか一方を回転させた際に、前記軸受（６５）が前記溝（５８）を移動し、また、
前記溝（５８）内における前記軸受（６５）の各位置が、前記第１ピストンロッド（７５）の前記回転シャフト（６０）に対する対応位置を決定し、
前記コンプレッサ（５０）に対して出入りするガスの流入及び流出を制御する少なくとも１個のシール（８０、１０５）を備える、コンプレッサ（５０）。
【請求項８】
請求項７記載のコンプレッサ（５０）において、前記シール（８０、８４）は、前記コンプレッサ（５０）の周りに、また前記回転シャフト（６０）に平行に延在する、コンプレッサ（５０）。
【請求項９】
請求項８記載のコンプレッサ（５０）において、前記シール（８０）は、前記回転シャフト（６０）に対してほぼ直交する方向に延在し、また前記シール（８０）の側端縁から延在するシール流出口（６２Ａ、６２Ｂ）を有する、コンプレッサ（５０）。
【請求項１０】
請求項８記載のコンプレッサ（５０）において、前記シール（８０）は、前記回転シャフト（６０）に対してほぼ平行に延在し、また前記シール（８０）の底端縁から延在するシール流出口（８２Ａ、８２Ｂ）を有する、コンプレッサ（５０）。
【請求項１１】
請求項８記載のコンプレッサ（５０）において、前記シール（８０）はリップシール（８０、８６Ａ−８６Ｆ）とする、コンプレッサ（５０）。
【請求項１２】
請求項８記載のコンプレッサ（５０）において、前記シール（１０５）はラビリンスシール（１０５Ａ、１０５Ｂ）とする、コンプレッサ（５０）。
【請求項１３】
ガスを流入口から流出口に移動させ、また流入口と流出口との間に差圧を生じさせるためのコンプレッサ（５０）であり、
前記コンプレッサ（５０）に対して第１方向に延在する回転シャフト（６０）と、
前記コンプレッサ（５０）において前記回転シャフト（６０）にほぼ直交する第２方向に延在する第１ピストンロッド（７５Ａ）であり、前記第１ピストンロッド（７５Ａ）の両側の端部にそれぞれ対応するピストン（５５Ａ、５５Ｂ）を連結し、前記第１ピストンロッド（７５Ａ）は前記回転シャフト（６０）に対して往復摺動し、これにより前記対応のピストン（５５Ａ、５５Ｂ）が交互に前記回転シャフト（６０）に対して接近及び離間するようにした、該第１ピストンロッド（７５Ａ）と、
前記コンプレッサ（５０）において前記回転シャフト（６０）にほぼ直交する第３方向に延在する第２ピストンロッド（７５Ｂ）であり、前記第２ピストンロッド（７５Ｂ）の両側の端部にそれぞれ対応する第２ピストンを連結した第２ピストン対（５５Ｃ、５５Ｄ）を有し、前記第２ピストンロッド（７５Ｂ）は前記回転シャフト（６０）に対して往復摺動し、これにより対応の前記第２ピストン対（５５Ｃ、５５Ｄ）が交互に前記回転シャフト（６０）に対して接近及び離間するようにした、該第２ピストンロッド（７５Ｂ）と、
前記第１ピストンロッド（７５Ａ）とから突出する第１軸受（６５Ａ）と、
前記第２ピストンロッド（７５Ｂ）とから突出する第２軸受（６５Ｂ）と、
前記第１及び第２のピストンロッド（７５Ａ、７５Ｂ）にほぼ平行に延在し、また前記第１及び第２のピストンロッド（７５Ａ、７５Ｂ）における前記第１及び第２の軸受（６５Ａ、６５Ｂ）を収容する溝（５８）を画定した溝付き端部プレート（７２）であって、前記溝付き端部プレート（７２）における前記溝（５８）は前記回転シャフト（６０）に対して中心が外れている、該溝付き端部プレート（７２）と、
を備え、
前記回転シャフト（６０）の回転運動が前記第１及び第２のピストンロッド（７５Ａ、７５Ｂ）又は前記溝付き端部プレート（７２）のいずれか一方を回転するとき、前記第１及び第２の軸受（６５Ａ、６５Ｂ）が前記溝（５８）を移動し、また
前記溝（５８）内における前記第１及び第２の軸受（６５Ａ、６５Ｂ）の各位置が、前記第１及び第２のピストンロッド（７５Ａ、７５Ｂ）の前記回転シャフト（６０）に対する対応位置を決定する、
コンプレッサ（５０）。
【請求項１４】
請求項１３記載のコンプレッサ（５０）において、前記第２ピストンロッド（７５Ｂ）は前記第１ピストンロッド（７５Ａ）の上方に配置される、コンプレッサ（５０）。
【請求項１５】
請求項１４記載のコンプレッサ（５０）において、前記第１及び第２のピストンロッド（７５Ａ、７５Ｂ）双方は、前記回転シャフト（６０）がそれぞれ貫通する開口（７８）を画定する、コンプレッサ（５０）。
【請求項１６】
請求項１５記載のコンプレッサ（５０）において、前記両ピストンロッドは、それぞれに対応する開口（７８）を介して前記回転シャフト（６０）の周りで往復摺動する、コンプレッサ（５０）。
【請求項１７】
請求項１６記載のコンプレッサ（５０）において、さらに、前記対応のピストン対（５５Ａ、５５Ｂ；５５Ｃ、５５Ｄ）が前記コンプレッサ（５０）内で嵌合するピストンチャンバ対（５４Ａ、５４Ｂ）を備える、コンプレッサ（５０）。